【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
磁気共鳴イメージング（ＭＲＩ）システムの第１の無線通信局の無線周波数（ＲＦ）送信機から、第１の搬送波信号によってアップコンバートされた第１のベースバンド信号を含む第１の送信信号を送信するステップであって、前記第１の搬送波信号が、第１の値と前記第１の無線通信局の第１のローカル発振器（ＬＯ）の第１のＬＯ周波数との積である第１の搬送波周波数を有し、前記第１の搬送波信号が前記第１の無線通信局の前記第１のローカル発振器（ＬＯ）と同期している、ステップと、
前記ＭＲＩシステムの第２の無線通信局のＲＦ受信機において、無線チャネルを介して、前記無線チャネルの時間遅延に前記第１の搬送波周波数を乗算したものに等しい第１のチャネル位相シフトだけシフトされている前記第１の送信信号を含む、位相シフトされた第１の送信信号を受信するステップと、
前記第２の無線通信局において、第２のベースバンド信号に補正信号を乗算して補正された第２のベースバンド信号を生成し、第２の搬送波信号によってアップコンバートされた補正された前記第２のベースバンド信号を含む第２の送信信号を送信するステップであって、前記第２の搬送波信号が、第２の値と前記第２の無線通信局の第２のローカル発振器（ＬＯ）の第２のＬＯ周波数との積である第２の搬送波周波数を有し、前記第２の送信信号が、前記第２の値と前記第１のＬＯ周波数との積であり且つ前記第１の無線通信局の前記第１のローカル発振器（ＬＯ）と周波数で同期している第２の送信搬送波周波数を有する、ステップと、
前記第１の無線通信局のＲＦ受信機において、前記無線チャネルを介して、前記無線チャネルの前記時間遅延に前記第２の送信搬送波周波数を乗算したものに等しい第２のチャネル位相シフトだけシフトされている前記第２の送信信号を含む、位相シフトされた第２の送信信号を受信するステップと、
前記第１の無線通信局において、受信した位相シフトされた前記第２の送信信号から前記無線チャネルの前記時間遅延を確認するステップと、
を含む、方法。
【請求項２】
前記第１の無線通信局が第１のクロックを含み、前記第２の無線通信局が第２のクロックを含み、前記第１及び前記第２のクロックのうちの１つを前記無線チャネルの確認された前記時間遅延に応じて調整するステップをさらに含む、請求項１に記載の方法。
【請求項３】
前記第２のベースバンド信号及び前記第１のベースバンド信号が互いに同一である、請求項１に記載の方法。
【請求項４】
前記補正信号が（１）前記第２の値と、（２）前記第１のＬＯ周波数と前記第２のＬＯ周波数との差との積に等しい周波数を有し、前記補正信号が（１）前記第２の値と、（２）前記第１のＬＯ周波数と、（３）前記無線チャネルの前記時間遅延との積に等しい位相を有する、請求項１に記載の方法。
【請求項５】
前記第１の無線通信局において、受信した位相シフトされた前記第２の送信信号から前記チャネル位相シフトを再生するステップが、受信した位相シフトされた前記第２の送信信号を、前記第２の値と前記第１のＬＯ周波数との積であり且つ前記第１のローカル発振器（ＬＯ）と同期している周波数を有するダウンコンバージョン信号と混合するステップを含む、請求項１に記載の方法。
【請求項６】
前記第１の無線通信局において、
前記第１の無線通信局のローカルクロックを使用して送信擬似乱数（ＰＲＮ）シーケンスを生成するステップと、
受信した位相シフトされた前記第２の送信信号から再生された前記第１の無線通信局の再生クロックを使用して、受信した位相シフトされた前記第２の送信信号から、受信ＰＲＮシーケンスを再生するステップであって、前記受信ＰＲＮシーケンスが、前記第２の無線通信局のローカルクロックを使用して前記第２の無線通信局において生成された、ステップと、
前記送信ＰＲＮシーケンスを前記受信ＰＲＮシーケンスと比較して、前記第１の無線通信局と前記第２の無線通信局との間のコード位相シフト誤差を決定するステップと、
をさらに含む、請求項１に記載の方法。
【請求項７】
前記無線チャネルが多重経路チャネルであり、前記第１の無線通信局において、
受信した位相シフトされた前記第２の送信信号を複数の相関器に供給するステップであって、各相関器が、受信した位相シフトされた前記第２の送信信号を、前記多重経路チャネルの１つの経路に対応するように選択された対応する時間遅延と相関させる、ステップと、
前記多重経路チャネルの対応する前記経路の相対強度に対応する、対応する係数によって各相関器の出力を重み付けするステップと、
前記相関器の重み付けされた前記出力を加算して和を生成するステップと、
前記和を、受信した位相シフトされた前記第２の送信信号のビット間隔にわたって積分するステップと、
前記和をしきい値と比較して、前記ビット間隔における受信した位相シフトされた前記第２の送信信号のビットに対する値を決定するステップと、
をさらに含む、請求項１に記載の方法。
【請求項８】
前記第１の送信信号が同期シーケンスを含み、前記第２の無線通信局において、
受信した位相シフトされた前記第１の送信信号を前記同期シーケンス用の整合フィルタによって検出して、同期出力信号を生成するステップと、
前記同期出力信号のピークを検出し、前記同期出力信号の検出された前記ピークのタイミングに応じて前記第２の無線通信局のローカルクロックを調整するステップと、
をさらに含む、請求項１に記載の方法。
【請求項９】
第１のローカル発振器（ＬＯ）周波数を有する第１のＬＯ信号を生成する第１のローカル発振器（ＬＯ）、
第１の無線周波数（ＲＦ）送信機、及び
第１のＲＦ受信機、
を有する第１の無線通信局であって、
前記第１のＲＦ送信機が、第１の搬送波信号によってアップコンバートされた第１のベースバンド信号を含む第１の送信信号を送信し、前記第１の搬送波信号が第１の値と前記第１のＬＯ周波数との積である第１の搬送波周波数を有し、前記第１の搬送波信号が前記第１のローカル発振器（ＬＯ）と同期している、
第１の無線通信局と、
第２のＬＯ周波数を有する第２のＬＯ信号を生成する第２のローカル発振器（ＬＯ）、
第２のＲＦ送信機、及び
第２のＲＦ受信機、
を有する第２の無線通信局であって、
前記第２のＲＦ受信機が、無線チャネルを介して、前記無線チャネルの時間遅延に前記第１の搬送波周波数を乗算したものに等しい第１のチャネル位相シフトだけシフトされている前記第１の送信信号を含む、位相シフトされた第１の送信信号を受信し、、
第２のベースバンド信号に補正信号を乗算して、補正された第２のベースバンド信号を生成し、
前記第２のＲＦ送信機が、第２の搬送波信号によってアップコンバートされた補正された前記第２のベースバンド信号を含む第２の送信信号を送信し、前記第２の搬送波信号が、第２の値と前記第２の無線通信局の第２のＬＯの第２の周波数との積である第２の搬送波周波数を有し、前記第２の送信信号が、前記第２の値と前記第１のＬＯ周波数との積であり且つ前記第１の無線通信局の前記第１のローカル発振器（ＬＯ）と周波数で同期している第２の送信搬送波周波数を有する、
第２の無線通信局と、
を備え、
前記第１のＲＦ受信機が、前記無線チャネルを介して前記無線チャネルの前記時間遅延に前記第２の送信搬送波周波数を乗算したものに等しい第２のチャネル位相シフトだけシフトされている前記第２の送信信号を含む、位相シフトされた第２の送信信号を受信し、
前記第１の無線通信局が、受信した位相シフトされた前記第２の送信信号から前記無線チャネルの前記時間遅延を確認する、
システム。
【請求項１０】
磁石と、
患者を保持する患者テーブルと、
前記患者の少なくとも一部分を少なくとも部分的に取り囲む傾斜磁場コイルと、
撮像されている患者の少なくとも一部分にＲＦ信号を印加し、磁場のアライメントを変える無線周波数（ＲＦ）コイルユニットと、
前記ＲＦ信号に応じて前記患者から放射された磁気共鳴信号を検知する受信コイルユニットと、
をさらに備え、
前記第２の無線通信局が、検知された前記磁気共鳴信号を表わすデータを前記無線チャネル介して前記第１の無線通信局に送信する、
請求項９に記載のシステム。
【請求項１１】
前記補正信号が、（１）前記第２の値と、（２）前記第１のＬＯ周波数と前記第２のＬＯ周波数との差との積に等しい周波数を有し、前記補正信号が、（１）前記第２の値と、（２）前記第１のＬＯ周波数と、（３）前記無線チャネルの前記時間遅延との積に等しい位相を有する、請求項９に記載のシステム。
【請求項１２】
前記第１の無線通信局が、受信した位相シフトされた前記第２の送信信号を、前記第２の値と前記第１のＬＯ周波数との積であり且つ前記第１のローカル発振器（ＬＯ）と同期している周波数を有するダウンコンバージョン信号と混合するダウンコンバータをさらに含む、請求項９に記載のシステム。
【請求項１３】
前記第１の無線通信局が第１のローカルクロックを含み、前記第２の無線通信局が、
第２のローカルクロックと、
受信した位相シフトされた前記第１の送信信号から再生された再生クロックと、
前記第２のローカルクロックを使用して送信擬似乱数（ＰＲＮ）シーケンスを生成する送信ＰＲＮシーケンス発生器と、
前記再生クロックを使用して、受信した位相シフトされた前記第１の送信信号から、前記第１の無線通信局において前記第１のローカルクロックを使用して生成された受信ＰＲＮシーケンスを再生し、
前記送信ＰＲＮシーケンスを前記受信ＰＲＮシーケンスと比較して、前記第１の無線通信局と前記第２の無線通信局との間のコード位相シフト誤差を決定する、
プロセッサと、
を含む、請求項９に記載のシステム。
【請求項１４】
前記無線チャネルが多重経路チャネルであり、前記第１の無線通信局は、
相関器それぞれが、受信した位相シフトされた前記第２の送信信号を、前記多重経路チャネルの１つの経路に対応するように選択された対応する時間遅延と相関させる、複数の相関器と、
前記多重経路チャネルの対応する前記経路の相対強度に対応する、対応する係数によって各相関器の出力を重み付けすること、
前記相関器の重み付けされた前記出力を加算して和を生成すること、
前記和を、受信した位相シフトされた前記第２の送信信号の１ビット期間にわたって積分すること、及び
前記和をしきい値と比較して、前記ビット期間における受信した位相シフトされた前記第２の送信信号のビットに対する値を決定すること、
によって前記複数の相関器の相関出力を処理するプロセッサと、
を備える、請求項９に記載のシステム。
【請求項１５】
前記第１の送信信号が同期シーケンスを含み、前記第２の無線通信局が、
ローカルクロックと、
受信した位相シフトされた前記第１の送信信号を検出し、同期出力信号を生成する前記同期シーケンス用の整合フィルタと、
前記同期出力信号のピークを検出するピーク検出器と、
を含み、
前記ローカルクロックが前記同期出力信号の検出された前記ピークのタイミングに応じて調整される、
請求項９に記載のシステム。
【請求項１６】
第１のローカルクロック、
前記第１のローカルクロックを使用して第１の擬似乱数（ＰＲＮ）シーケンスを生成する第１のＰＲＮシーケンス発生器、及び
前記第１のＰＲＮシーケンスを含む第１の送信信号を送信する第１の送信機
を含む第１の無線通信局と、
無線チャネルを介して、前記無線チャネルの時間遅延に依存する第１のチャネル位相シフトだけシフトされている前記第１の送信信号を含む、位相シフトされた第１の送信信号を受信する第２の無線通信局であって、
第２のローカルクロック、
前記第２のローカルクロックを使用して第２のＰＲＮシーケンスを生成する第２のＰＲＮシーケンス発生器、
受信した位相シフトされた前記第１の送信信号から再生された、再生された第１のクロック、及び
再生された前記第１のクロックを使用して、受信した位相シフトされた前記第１の送信信号から前記第１のＰＲＮシーケンスを再生し、
前記第２のＰＲＮシーケンスを再生された前記第１のＰＲＮシーケンスと比較して、前記第１の無線通信局と前記第２の無線通信局との間のコード位相シフト誤差を決定するプロセッサ、
を含む、第２の無線通信局と、
を備える、システム。
【請求項１７】
前記第２の無線通信局が、前記第２のＰＲＮシーケンスを含む第２の送信信号を送信する第２の送信機をさらに含み、
前記第１の無線通信局が、前記無線チャネルを介して、前記無線チャネルの前記時間遅延に依存する第２のチャネル位相シフトだけシフトされている前記第２の送信信号を含む、位相シフトされた第２の送信信号を受信し、
前記第１の無線通信局が、
受信した位相シフトされた前記第２の送信信号から再生された、再生された第２のクロックと、
再生された前記第２のクロックを使用して、受信した位相シフトされた前記第２の送信信号から前記第２のＰＲＮシーケンスを再生し、
前記第１のＰＲＮシーケンスを再生された前記第２のＰＲＮシーケンスと比較して、前記第１の無線通信局と前記第２の無線通信局との間のコード位相シフト誤差を決定する
プロセッサと、
をさらに含む、
請求項１６に記載のシステム。
【請求項１８】
前記プロセッサは、再生された前記第１のＰＲＮシーケンスを前記第２のＰＲＮシーケンスの少なくとも３つの時間シフトされたコピーと比較し、前記第２のＰＲＮシーケンスの前記少なくとも３つの時間シフトされたコピーのどれが、再生された前記第１のＰＲＮシーケンスと最も高い相関性を有するかを判定する相関器を含み、前記システムは、前記第２のＰＲＮシーケンスの前記少なくとも３つの時間シフトされたコピーのうちのどれが、前記第１及び前記第２のＰＲＮシーケンス発生器を互いに同期させるために、再生された前記第１のＰＲＮシーケンスと最も高い相関性を有するかに応じて、前記第１及び前記第２のＰＲＮシーケンス発生器のうちの１つのタイミングを調整する、請求項１６に記載のシステム。
【請求項１９】
前記無線チャネルが多重経路チャネルであり、前記第２の無線通信局は、
相関器それぞれが、受信した位相シフトされた前記第１の送信信号を、前記多重経路チャネルの１つの経路に対応するように選択された対応する時間遅延と相関させる、複数の相関器と、
前記多重経路チャネルの対応する前記経路の相対強度に対応する、対応する係数によって各相関器の出力を重み付けすること、
前記相関器の重み付けされた前記出力を加算して和を生成すること、
前記和を、受信した位相シフトされた第２の送信信号の１ビット期間にわたって積分すること、及び
前記和をしきい値と比較して、前記ビット期間における受信した位相シフトされた前記第２の送信信号のビットに対する値を決定すること、
によって前記複数の相関器の相関出力を処理する信号プロセッサと、
備える、請求項１６に記載のシステム。
【請求項２０】
前記第１の送信信号が同期シーケンスを含み、
前記第２の無線通信局が、
受信した位相シフトされた前記第１の送信信号を検出し、同期出力信号を生成する前記同期シーケンス用の整合フィルタと、
前記同期出力信号のピークを検出するピーク検出器と、
を含み、
前記第２のローカルクロックが前記同期出力信号の検出された前記ピークのタイミングに応じて調整される、請求項１６に記載のシステム。